(57)【特許請求の範囲】
【請求項１】
急病人が出た時に、その急病人が出た場所に居合わせた人が持っている通報者携帯端末と、ＡＥＤ管理システムの全体の動作を制御する携帯端末事業者システムと、前記通報者携帯端末からの緊急通知を受け取ると、データベースに記憶されている情報を読み出してＡＥＤ装置が存在する場所と急病人間の距離を算出すると共に、そのＡＥＤ装置が使用可能であるかどうかを判定する救急センターサーバと、ＡＥＤ装置を管理している管理人が保持するＡＥＤ管理人端末と、これら構成要素とＡＥＤ装置とが有線又は無線の通信線を介して相互に接続されたシステムにおいて、
前記携帯端末事業者システムが通報者端末の位置情報、メールアドレスを取得するステップと、
前記救急センターサーバが、ＡＥＤ装置が必要と判断された場合に通報者から最も近い場所にあるＡＥＤ装置であり、且つＡＥＤ管理者テーブルを参照して現在利用可能なＡＥＤ装置を検索するステップと、
前記携帯端末事業者システムが選択されたＡＥＤ装置の管理者端末にＡＥＤ装置準備依頼メールを送信するステップと、
通報者端末にＡＥＤ設置場所を記したリンクアドレス通知メールを送信するステップと、
前記携帯端末事業者端末が前記通報者端末からＡＥＤ地図閲覧依頼を受信すると、前記通報者端末の位置情報と通報者の位置からＡＥＤ装置までの行き方をＡＥＤ設置場所地図データに重ね合わせるＡＥＤ設置場所案内地図データ作成ステップと、
前記携帯端末事業者システムが前記ＡＥＤ設置場所地図データとともに緊急時ＡＥＤ受け渡し場所地図データを前記通報者端末に送信するステップと、
を有することを特徴とする緊急用品搬送方法。
【請求項２】
急病人が出た時に、その急病人が出た場所に居合わせた人が持っている通報者携帯端末と、ＡＥＤ管理システムの全体の動作を制御する携帯端末事業者システムと、前記通報者携帯端末からの緊急通知を受け取ると、データベースに記憶されている情報を読み出してＡＥＤ装置が存在する場所と急病人間の距離を算出すると共に、そのＡＥＤ装置が使用可能であるかどうかを判定する救急センターサーバと、ＡＥＤ装置を管理している管理人が保持するＡＥＤ管理人端末と、ＡＥＤ装置とが有線又は無線の通信線を介して相互に接続されたシステムにおいて、
通報者端末の位置情報、メールアドレスを取得する手段と、
ＡＥＤ装置が必要と判断された場合に通報者から最も近い場所にあるＡＥＤ装置であり、且つＡＥＤ管理者テーブルを参照して現在利用可能なＡＥＤ装置を検索する手段と、
選択されたＡＥＤ装置の管理者端末にＡＥＤ準備依頼メールを送信する手段と、
通報者端末にＡＥＤ設置場所を記したリンクアドレス通知メールを送信する手段と、
前記通報者端末からＡＥＤ地図閲覧依頼を受信すると、前記通報者端末の位置情報と通報者の位置からＡＥＤ装置までの行き方をＡＥＤ設置場所地図データに重ね合わせるＡＥＤ設置場所案内地図データ作成手段と、
前記ＡＥＤ設置場所地図データとともに緊急時ＡＥＤ装置受け渡し場所地図データを前記通報者端末に送信する手段と、
を有することを特徴とする緊急用品搬送システム。
【発明の詳細な説明】
【技術分野】
【０００１】
本発明は緊急用品搬送方法及びシステムに関し、更に詳しくは急病人が発生したときに、速やかにＡＥＤ装置（自動体外式除細動器）を速やかに急病人の場所まで持って来られるようにした緊急用品搬送方法及びシステムに関する。
【背景技術】
【０００２】
例えば路上で急病人が発生した場合、一緒にいた人若しくは近くにいる人が携帯電話等で救急センターに連絡し、救急車を呼ぶのが一般的である。救急車を依頼してから、現場まで到着し救急隊が応急処置を行なうまでの時間については速くても１０分前後はかかると考えられる。
【０００３】
そこで救急車が来るまでの間に街中に設置されているＡＥＤ装置（自動体外式細動器）を利用することが行われている。しかしながら、ここで問題となるのはＡＥＤ装置がどこに設置されているか、現場付近を熟知している者でないと分からないことである。そのため、ＡＥＤ装置が必要だとということが分かったとしても、ＡＥＤ装置を探しあてるまでに時間を要し、大切な時間を無駄にしてしまう可能性が考えられる。
【０００４】
従来のシステムでは、ＡＥＤ装置の所在地が登録されたデータベースが備えられ、通報者から連絡があった場合に通報者端末の位置情報を取得し、通報者端末から最も近いＡＥＤ装置の所在情報を通報者端末に送信し、ＡＥＤ装置が備える報知手段により周囲への通知を行なうようにしたシステムが知られている（例えば特許文献１参照）。
【先行技術文献】
【特許文献】
【０００５】
【特許文献１】特開２００９−２２４９６７号公報（段落００１６〜００２６、図１、図２）
【発明の概要】
【発明が解決しようとする課題】
【０００６】
街中に設置されているＡＥＤ装置は２４時間３６５日誰もがいつでも勝手に使用できるとは限らない。例えば、鉄道の改札内に設置されているＡＥＤ装置を使いたいと考えても、鉄道時間外の深夜の場合はすぐに使用できないと考えられる。デパートのビル内、会社のビル内に設置されているＡＥＤ装置についても営業時間外等で入口が閉まっている場合はすぐに利用できないと考えられる。
【０００７】
通報者から最も近い位置に設置されているＡＥＤ装置であっても必ずしもすぐに使用できない可能性がある。そのため、通報者端末からの距離が近いか否かのみでＡＥＤ装置を抽出するだけでは問題がある。
【０００８】
前記特許文献１では、ＡＥＤ装置を取りに行ったら扉の鍵が閉まっていて中に入ることができないビル内に設置されているＡＥＤ装置だったという場合もあり得る。若しくは最初から使用時間に制限のあるＡＥＤ装置は検索対象から外しておく必要がある。しかしながら、こうすると時間帯によっては（例えば９時から２０時まで）使用できるＡＥＤ装置が検索対象から外れてしまうため、問題がある。
【０００９】
また、抽出されたＡＥＤ装置を鳴動させる等して周囲の者にＡＥＤ装置を急病人のところまで届けてもらう方法が記載されているが、必ずしも周囲にＡＥＤ装置を運んでくれる人がいるとは限らない。ビル内に設置されているＡＥＤ装置については、ビルの管理人（警備人）はすぐに気がつく可能性があるが、ビルを管理する（警備する）という職務があるため、勝手にビル外の急病人のところまでＡＥＤ装置を届けてくれることができるとは限らない。
【００１０】
また、ビルの建ち並ぶ街中で急病人が発生した場合などにおいては、距離的に近くてもＡＥＤ装置を見つけづらい場合も考えられる。例えばビルの２階に設置されていたり、１階フロアに設置されていても目立たない場所に設置されている場合には、ＡＥＤ装置の所在位置だけを教えられてもすぐには見つけられない可能性があり、ＡＥＤ装置を光らせたり鳴動させたりしても気づきにくい場合もある。
【００１１】
本発明はこのような課題に鑑みてなされたものであって、急病人からなるべく近い場所で確実にＡＥＤ装置を持ち運べることができるようにした緊急用品搬送方法及びシステムを提供することを目的としている。
【課題を解決するための手段】
【００１２】
本発明は、使用可能なＡＥＤ装置の中で最も通報者に近い場所にあるＡＥＤ装置を抽出して、そのＡＥＤ装置の管理人に連絡して、ＡＥＤ装置が例えばビル内にある場合であっても部外者でも立ち入ることができる分かりやすい場所まで管理人に運んで貰うようにし、ＡＥＤ装置を取りに来た者がすぐに持ち運びできるようにしたものである。
【００１３】
上記の課題を解決するために、本発明は以下に示すような構成をとっている。
【００１４】
（１）請求項１記載の発明は、急病人が出た時に、その急病人が出た場所に居合わせた人が持っている通報者携帯端末と、前記通報者携帯端末からの緊急通知を受け取ると、データベースに記憶されている情報を読み出してＡＥＤ装置が存在する場所と急病人間の距離を算出すると共に、そのＡＥＤ装置が使用可能であるかどうかを判定するＡＥＤ管理システムの全体の動作を制御する救急センターサーバと、ＡＥＤ装置を管理している管理人が保持するＡＥＤ管理人端末と、ＡＥＤ装置とが有線又は無線の通信線を介して相互に接続されたシステムにおいて、前記救急センターサーバが通報者端末の位置情報、メールアドレスを取得するステップと、前記救急センターサーバが、ＡＥＤ装置が必要と判断された場合に通報者から最も近い場所にあるＡＥＤ装置であり、且つＡＥＤ管理者テーブルを参照して現在利用可能なＡＥＤ装置を検索するステップと、前記救急センターサーバが選択されたＡＥＤ装置の管理者端末にＡＥＤ装置準備依頼メールを送信するステップと、通報者端末にＡＥＤ設置場所を記したリンクアドレス通知メールを送信するステップと、前記救急センターサーバが前記通報者端末からＡＥＤ地図閲覧依頼を受信すると、前記通報者端末の位置情報と通報者の位置からＡＥＤ装置までの行き方をＡＥＤ設置場所地図データに重ね合わせるＡＥＤ設置場所案内地図データ作成ステップと、前記救急センターサーバが前記ＡＥＤ設置場所地図データとともに緊急時ＡＥＤ受け渡し場所地図データを前記通報者端末に送信するステップと、を有することを特徴とする。
【００１５】
（２）請求項２記載の発明は、急病人が出た時に、その急病人が出た場所に居合わせた人が持っている通報者携帯端末と、前記通報者携帯端末からの緊急通知を受け取ると、データベースに記憶されている情報を読み出してＡＥＤ装置が存在する場所と急病人間の距離を算出すると共に、そのＡＥＤ装置が使用可能であるかどうかを判定するＡＥＤ管理システムの全体の動作を制御する救急センターサーバと、ＡＥＤ装置を管理している管理人が保持するＡＥＤ管理人端末と、ＡＥＤ装置とが有線又は無線の通信線を介して相互に接続されたシステムにおいて、通報者端末の位置情報、メールアドレスを取得する手段と、ＡＥＤ装置が必要と判断された場合に通報者から最も近い場所にあるＡＥＤ装置であり、且つＡＥＤ管理者テーブルを参照して現在利用可能なＡＥＤ装置を検索する手段と、選択されたＡＥＤ装置の管理者端末にＡＥＤ準備依頼メールを送信する手段と、通報者端末にＡＥＤ装置設置場所を記したリンクアドレス通知メールを送信する手段と、前記通報者端末からＡＥＤ装置地図閲覧依頼を受信すると、前記通報者端末の位置情報と通報者の位置からＡＥＤ装置までの行き方をＡＥＤ設置場所地図データに重ね合わせるＡＥＤ設置場所案内地図データ作成手段と、前記ＡＥＤ設置場所地図データとともに緊急時ＡＥＤ装置受け渡し場所地図データを前記通報者端末に送信する手段と、を有することを特徴とする。
【発明の効果】
【００１６】
本発明によれば、以下のような効果を奏する。
【００１７】
（１）請求項１記載の発明によれば、急病人に近い場所から使用可能なＡＥＤ装置を検索していくようにしているので、急病人からなるべく近い場所で確実にＡＥＤ装置を持ち運べることができるようにした緊急用品搬送方法を提供することができる。
【００１８】
（２）請求項２記載の発明によれば、急病人に近い場所から使用可能なＡＥＤ装置を検索していくようにしているので、急病人からなるべく近い場所で確実にＡＥＤ装置を持ち運べることができるようにした緊急用品搬送システムを提供することができる。
【図面の簡単な説明】
【００１９】
【図１】本発明の一実施例を示す構成図である。
【図２】救急受付テーブルの構成例を示す図である。
【図３】ＡＥＤ案内ページテーブルの構成例を示す図である。
【図４】ＡＥＤ管理者テーブルの構成例を示す図である。
【図５】ＡＥＤ設置場所テーブルの構成例を示す図である。
【図６】ＡＥＤ設置場所基本地図データを示す図である。
【図７】ＡＥＤ設置場所案内地図データを示す図である。
【図８】緊急時ＡＥＤ受渡し場所地図データを示す図である。
【図９】ＡＥＤ準備依頼メール画面を示す図である。
【図１０】ＡＥＤ設置場所情報通知メール画面を示す図である。
【図１１】本発明システムの動作の一例を示すフローチャートである。
【発明を実施するための形態】
【００２０】
以下、図面を参照して本発明の実施例を詳細に説明する。図１は本発明の一実施例を示す構成図である。 図において、１０は急病人が出た時に、その急病人が出た場所に居合わせた人が持っている通報者携帯端末、１３は前記通報者携帯端末１０からの緊急通知を受け取ると、データベース１２に記憶されている情報を読み出してＡＥＤ装置が存在する場所と急病人間の距離を算出すると共に、そのＡＥＤ装置が使用可能であるかどうかを判定するＡＥＤ管理システムの全体の動作を制御する救急センターサーバ１３、１４はＡＥＤ装置１５ａを管理している管理人が保持するＡＥＤ管理人端末である。図ではＡＥＤ装置１５ａとが有線又は無線の通信線１６を介して相互に接続されたシステムを構成している。１５はＡＥＤ装置１５ａを収納しているＡＥＤ装置収納箱である。１６は各装置間を接続するネットワークである。該ネットワークとしては、有線の或いは無線のネットワークを使用することができる。
【００２１】
通報者携帯端末１０は、通報手段と、通話手段と、発信者情報通知手段と、ＡＥＤ装置受け渡し場所案内受信手段と、表示手段から構成されている。救急センターサーバ１３は、通報受付手段と、ＡＥＤ抽出手段と、ＡＥＤ管理者連絡手段と、ＡＥＤ装置受け渡し場所案内手段とから構成されている。
【００２２】
救急センターサーバ１３は、通報受付手段と、ＡＥＤ装置抽出手段と、ＡＥＤ装置管理者連絡手段と、ＡＥＤ装置受け渡し場所案内手段とから構成されている。データベース１２は、救急受付テーブルと、ＡＥＤ設置場所テーブルと、ＡＥＤ管理者テーブルと、ＡＥＤ案内ページテーブルとから構成されている。ＡＥＤ管理人端末１４は、ＡＥＤ準備依頼受信手段から構成されており、ＡＥＤ装置収納箱１５はＡＥＤ装置１５ａを収納し、該ＡＥＤ装置１５ａは、お知らせ命令受信手段と、鳴動手段と、点灯手段とから構成されている。
【００２３】
次に、データベース１２の各テーブルについて説明する。図２は緊急受付テーブルの構成例を示す図である。通報受付ＮＯ毎に受付日付、受付時刻、通報者情報とから構成されている。通報者情報は、通報者の携帯端末番号と、通報者位置情報と、通報者メールアドレスから構成されている。その他に、患者の病状と、ＡＥＤ装置１５ａの要否と、選択されたＡＥＤ識別番号から構成されている。
【００２４】
図３はＡＥＤ装置の案内ページテーブルの構成例を示す図であり、通報受付ＮＯ毎にＡＥＤ設置場所案内地図データが記憶されている。図４はＡＥＤ管理者テーブルの構成例を示す図である。図に示すように、ＡＥＤ識別番号と、使用可能時間と、使用可能曜日と、管理人メールアドレスから構成されている。ＡＥＤ識別番号毎に管理人のメールアドレスが異なっている。管理人が変わることを想定しているものである。
【００２５】
図５はＡＥＤ設置場所テーブルの構成例を示す図である。図に示すように、ＡＥＤ識別番号毎に、ＡＥＤ装置アドレスと、設置場所と、緊急時ＡＥＤ装置受け渡し場所と、ＡＥＤ設置場時基本地図データと緊急ＡＥＤ装置受け渡し地図データが記憶されている。
【００２６】
図６はＡＥＤ設置場所基本地図データを示す図であり、データベース１２のＡＥＤ設置場所テーブルにＡＥＤ装置毎に予め記憶されているものである。図の場合は十字路に鈴木デパートビルと伊藤デパートが表示されており、この中の鈴木デパートにＡＥＤ装置１５ａが設置されていることを示している。図７はＡＥＤ設置場所案内地図データを示す図であり、データベース１２のＡＥＤ設置場所テーブルに記憶されているものである。
【００２７】
この図は、図６に示すＡＥＤ設置場所基本地図データに通報者の現在位置と、現在位置からＡＥＤ装置までのルート矢印を加えたものである。通報者が現在位置からＡＥＤ設置場所まで容易に辿りつけるようにしたものである。ＡＥＤ設置場所案内地図データは、通報者端末１０から閲覧依頼があるとＡＥＤ設置場所基本地図データを元に、携帯端末事業者システム１１が作成するものである。
【００２８】
図８は緊急時ＡＥＤ装置受け渡し場所地図データを示す図である。図７に示すＡＥＤ設置場所地図データのみでは、ＡＥＤ装置１５ａがビル内にある場合などＡＥＤ装置１５ａをすぐに見つけることができないことがあるので、ビル内や店の敷地内の具体的にどこにあるのかを示す地図データである。また、この場所に記載されているＡＥＤ装置の場所は元々設置されている場所ではなく、緊急時に設置場所から管理人によって移動された先の受け渡し場所が記載されている。緊急時受け渡し場所地図データについては、前記ＡＥＤ設置場所基本地図データと同様に予め装置毎に用意されデータベース１２に登録しておく。
【００２９】
救急センターサーバ１３が通報者携帯端末１０から緊急通報を受け付けると通報受け付けＮＯを採番し、通報者位置情報などの通報者情報がデータベース１２の救急受付テーブルに救急センターサーバ１３から登録される。図２にその登録される内容を示す。通報者情報が登録されていることが分かる。通報者情報は、図２に示すように、通報者携帯端末番号と、通報者位置情報と、通報者のメールアドレスから構成されている。
【００３０】
救急センターの救急隊員が通報者との会話により、病状を救急センターサーバ１３から病状をデータベースの救急受付テーブルに登録する。救急受付テーブルは、図２に示すように、患者の病状が登録されている。救急隊員がＡＥＤ装置１５ａの使用が必要であると判断すると、図示しない救急センターサーバ１３のＡＥＤ装置検索ボタンを押す。救急受付テーブルのＡＥＤ装置の要否の所には「必要」という情報が登録される。
【００３１】
ＡＥＤ装置検索ボタンが押されると、救急センターサーバ１３は、データベース１２のＡＥＤ設置場所テーブルを参照して通報者携帯端末１０から最も近くにあるＡＥＤ装置１５ａを検索する。ＡＥＤ設置場所テーブルは、図５に示すような構成をとっており、ＡＥＤ装置の識別番号毎に設置場所が登録されているので、救急センターサーバ１３は、通報者携帯端末１０から最も近い場所にあるＡＥＤ装置１５ａを検索することができる。
【００３２】
そして、選択されたＡＥＤ装置１５ａが現在使用可能か否かをデータベース１２内のＡＥＤ管理者テーブルを参照して自動的に判断し、使用可能であると判断されると、前記ＡＥＤ装置の管理人のＡＥＤ管理人端末１４へＡＥＤ装置の準備依頼メールを送信する。ＡＥＤ管理者テーブルは、図４に示すような構成をとっており、救急センターサーバ１３は、選択したＡＥＤ装置１５ａの使用可能時間と、使用可能曜日とから当該ＡＥＤ装置１５ａが使用可能であるか否かを判断することができる。
【００３３】
準備依頼メールは図９に示すような内容である。即ち、「該当するＡＥＤ装置１５ａをビルの入口まで持ってきてください。」というメールを送信することになる。準備依頼を行なう理由は、例えばビル内にあるＡＥＤ装置１５ａであって、部外者がＡＥＤ装置１５ａを取りにビル内に入ることができないような場合であっても、そのビルの管理人にＡＥＤ装置１５ａをビルの入口まで持ってきてもらうことができれば、ＡＥＤ装置１５ａを取りに来たビルの部外者であってもすぐにＡＥＤ装置１５ａを運ぶことができるからである。
【００３４】
救急センターサーバ１３は、選択されたＡＥＤ装置１５ａのアドレスを指定してＡＥＤ装置のお知らせ命令受信手段を実行させる。この結果、ＡＥＤ装置１５ａが鳴動するか又は発光するとかするので、ＡＥＤ装置１５ａをすぐに見つけることができ、管理人が持って行きやすくなる。
【００３５】
救急センターサーバ１３は、通報者携帯端末１０に、ＡＥＤ設置場所案内地図データと緊急ＡＥＤ受け渡し場所地図データを閲覧するためのホームページアドレスをＡＥＤ設置場所リンクアドレスと共にメール送信する。先ず通報者携帯端末１０に図１０に示すようなＡＥＤ装置１５ａの設置場所の知らせが届く。その後、図６に示すＡＥＤ設置場所基本地図データが表示され、次に図７に示すようにＡＥＤ設置場所案内地図データが示される。図では、鈴木デパートにＡＥＤ装置１５ａが設置されていることが分かる。次に図に示すように、通報者からＡＥＤ装置が設置されている場所までのルートが示される。次に、図８に示すように鈴木デパートの南口正面玄関入り口に置かれた様子が示され、「このＡＥＤ装置１５ａを急病人のところまで届けて下さい。」というメッセージも併せて表示される。
【００３６】
この場合において、ＡＥＤ装置１５ａまでのホームページ閲覧依頼について、通報者がホームページのアドレスを指定して当該ページをダウンロードさせようとすると、通報者の現在位置からＡＥＤ装置１５ａの設置場所までの歩行経路を図７に示すように地図に重ね合わせてＡＥＤ装置１５ａの設置場所基本地図データからＡＥＤ装置設置場所案内地図データを作成する。そして、ＡＥＤ設置場所案内地図データと緊急時ＡＥＤ装置受け渡し場所地図データとを一緒に通報者携帯端末１０に送信するものである。
【００３７】
図１１は本発明システムの動作の一例を示すフローチャートである。動作の主体は救急センターサーバ１３である。先ず、通報者携帯端末１０からの緊急通報（１１９番）を受信すると、通報受付ＮＯを採番し、通報者情報が救急センターサーバ１３で受け付けられ、データベース１２に登録される（Ｓ１）。次に通報者携帯端末１０と救急センターサーバ１３との間で患者の状態が通話され、救急センターサーバ１３は患者の状態をデータベース１２の緊急受付テーブルに登録する（Ｓ２）。
【００３８】
次に、救急センターサーバ１３はＡＥＤ装置が必要と判断され、ＡＥＤ検索ボタンが押されたかどうかチェックする（Ｓ３）。ＡＥＤ装置が必要とされない場合は、処理は終了する。ＡＥＤ装置が必要と判断された場合は、救急センターサーバ１３はデータベース１２のＡＥＤ設置場所テーブルを検索して、通報者の位置から最も近い場所に設置のＡＥＤ装置を探す（Ｓ４）。
【００３９】
次に、救急センターサーバ１３は、データベース１２のＡＥＤ管理者テーブルを参照して選択されたＡＥＤ装置が使用可能かどうかチェックする（Ｓ５）。使用可能でなかった場合には、通報者の位置から次に近いＡＥＤ装置を選択し（Ｓ６）、ステップＳ５に戻って選択されたＡＥＤ装置が使用可能かどうかチェックする。チェックの結果、選択されたＡＥＤ装置が使用可能であった場合には、選択されたＡＥＤ管理人端末１４へＡＥＤ準備依頼メールを送信する（Ｓ７）。ＡＥＤ準備依頼メールは、図９に示した通りである。
【００４０】
ＡＥＤ管理人は、自己の管理するＡＥＤ装置が必要とされていることを認識することができる。次に、救急センターサーバ１３は、選択されたＡＥＤ装置アドレスを指定して、ＡＥＤ装置のお知らせ手段を実行する（Ｓ８）。
【００４１】
次に救急センターサーバ１３は、通報者携帯端末１０にＡＥＤ設置場所地図情報と緊急時ＡＥＤ移動先地図データを閲覧するためのホームページのアドレスをメール送信する（Ｓ９）。この時のＡＥＤ設置場所地図情報は、図６に示すようなものである。次に、救急センターサーバ１３は、通報者からＡＥＤ装置までのホームページ閲覧依頼があると、通報者の現在位置からＡＥＤ装置場所までの歩行経路を地図に重ね合わせてＡＥＤ設置場所基本地図データからＡＥＤ設置場所案内地図データを作成する（Ｓ１０）。
【００４２】
ＡＥＤ設置場所基本地図データからＡＥＤ設置場所案内地図データと緊急時ＡＥＤ装置移動先地図データと一緒に通報者携帯端末１０に送信する（Ｓ１１）。緊急時ＡＥＤ装置移動先地図データは、図７に示すようなものである。通報者携帯端末１０に表示される内容は、図１０に示すようなものである。通報者携帯端末１０の表示を切り替えると、図８に示すような案内地図が表示され、通報者は鈴木デパートビルの南口正面入口にＡＥＤ装置が置かれていることを認識することができ、そのＡＥＤ装置を引き取って、急病人のところまで持って行くことができる。このように、本発明によれば、急病人に近い場所から使用可能なＡＥＤ装置を検索していくようにしているので、急病人からなるべく近い場所で確実にＡＥＤ装置を持ち運べることができるようにした緊急用品搬送方法を提供することができる。
【００４３】
上述の実施例では、緊急用品としてＡＥＤ装置を例に取ったが、本発明はこれに限るものではなく、緊急を有する用品であれば、どのような種類のものであってもよい。
【００４４】
以上、詳細に説明したように、本発明によれば以下の効果が得られる。
【００４５】
ＡＥＤ装置の設置場所が分かりにくい場所、部外者が入ることができない場所であっても、緊急時には分かりやすい場所、部外者が入ることのできない場所に移動された後の受け渡し場所地図データを通報者に送信するので、ＡＥＤ装置を取りにきた通報者若しくはその代理人はすぐにＡＥＤ装置を見つけることができ、急病人の対応について時間短縮を図ることができる。通報者から最も近いＡＥＤ装置を見つけ出すに際し、利用できるＡＥＤか否かを考慮して検索できるので、効率よくＡＥＤ装置の検索ができ、急病人の対応について時間短縮を図ることができる。
【符号の説明】
【００４６】
１０    通報者携帯端末
１２    データベース
１３    救急センターサーバ
１４    ＡＥＤ管理人端末
１５    ＡＥＤ装置収納箱
１５ａ  ＡＥＤ装置
【図１】
0005342529.tif 000002
【図２】
0005342529.tif 000003
【図３】
0005342529.tif 000004
【図４】
0005342529.tif 000005
【図５】
0005342529.tif 000006
【図６】
0005342529.tif 000007
【図７】
0005342529.tif 000008
【図８】
0005342529.tif 000009
【図９】
0005342529.tif 000010
【図１０】
0005342529.tif 000011
【図１１】
0005342529.tif 000012